(57)【要約】【課題】欠陥管理フォーマット処理が実施されていないディスクおよび既に欠陥管理フォーマット処理が実施されているディスクに対して、欠陥管理フォーマット処理要求があった場合に、欠陥管理フォーマット処理の時間を短縮する情報記録再生装置およびディスクに対する欠陥管理システムフォーマット処理方法を提供する。【解決手段】ホストコンピュータからフォーマット処理要求を受けると、欠陥管理領域を初期化する。次に、プログラムエリア領域のフォーマット処理を開始し、当該位置がスペアエリアであるかどうかを判定する。ここで、当該領域がスペアエリアでない場合、即ち、データエリアである場合は、当該領域に対してダミーデータの記録を実施する。そして、全プログラムエリア領域に対してフォーマット処理が完了したかどうかを判定し、全プログラムエリア領域に対してフォーマット処理が完了した場合は処理を完了する。【選択図】　　　　図３
2004110965.tif 000002
【特許請求の範囲】
【請求項１】
再記録可能な情報記録媒体に対するフォーマット処理を行うフォーマット処理手段と、
欠陥管理システムが導入された前記情報記録媒体に対して前記欠陥管理システムに基づいた読み出し・書き込みを行う読み出し・書き込み手段とを有し、
欠陥管理システムフォーマット処理が実施されていない前記情報記録媒体、および既に前記欠陥管理システムフォーマット処理が実施されている前記情報記録媒体に対して、前記欠陥管理システムフォーマット処理要求を受けた際、前記情報記録媒体内の欠陥管理情報領域の初期化と、ユーザデータ記録領域のみに対して、ダミーデータの記録を実施することを特徴とする情報記録再生装置。
【請求項２】
前記ユーザデータ記録領域への前記ダミーデータの記録は、前記ダミーデータの記録がなされていない場合のみ行うことを特徴とする請求項１記載の情報記録再生装置。
【請求項３】
前記ユーザデータ領域内に前記ダミーデータが記録されているかどうかを判別する場合、前記ユーザデータ領域を読み出し、読み出されたデータをもってダミーデータ記録であるかどうかを判別するダミーデータ判別手段をさらに有することを特徴とする請求項２記載の情報記録再生装置。
【請求項４】
再記録可能な情報記録媒体に対するフォーマット処理を行うフォーマット処理手段と、
欠陥管理システムが導入された前記情報記録媒体に対して前記欠陥管理システムに基づいた読み出し・書き込みを行う読み出し・書き込み手段とを有する情報記録再生装置において、
欠陥管理システムフォーマット処理が実施されていない前記情報記録媒体、および既に前記欠陥管理システムフォーマット処理が実施されている前記情報記録媒体に対して、前記欠陥管理システムフォーマット処理要求を受けた際、
前記情報記録媒体内の欠陥管理情報領域を初期化する初期化工程と、
前記情報記録媒体内のプログラムエリア領域のフォーマット処理を開始するフォーマット処理開始工程と、
前記プログラムエリア領域がスペアエリアであるかどうかを判定するスペアエリア判定工程と、
前記プログラムエリア領域がスペアエリアではなくデータエリアである場合は、前記データエリアにダミーデータの記録を実施するダミーデータ記録工程と、前記プログラムエリア領域の全てに対してフォーマット処理が完了したかどうかを判定するフォーマット処理完了判定工程と
を有すること特徴とする欠陥管理システムフォーマット処理方法。
【請求項５】
前記プログラムエリア領域がスペアエリアではなくデータエリアである場合は、前記データエリアにダミーデータの記録を実施する前に、前記データエリアにダミーデータが記録済みであるかどうかを判定するダミーデータ記録判定工程をさらに有し、
前記ダミーデータの記録がなされていない場合のみ、前記データエリアに前記ダミーデータの記録を行うことを特徴とする請求項４記載の欠陥管理システムフォーマット処理方法。
【請求項６】
前記データエリアに前記ダミーデータが記録済みであるかどうかの判定は、前記データエリア領域を読み出し、読み出されたデータをもってダミーデータ記録であるかどうかを判別することを特徴とする請求項５記載の欠陥管理システムフォーマット処理方法。
【発明の詳細な説明】
【０００１】
【発明の属する技術分野】
本発明は、光ディスク装置などの情報記録再生装置において、ディスクなどの情報記録媒体の記録領域に対して欠陥が存在した場合の欠陥管理システムが導入されている情報記録再生装置に対して、欠陥管理フォーマット処理がなされる、または既に欠陥管理フォーマット処理がなされている情報記録媒体に対して、欠陥管理フォーマット処理を簡略化できる情報記録再生装置および情報記録媒体に対する欠陥管理システムフォーマット処理方法に関する。
【０００２】
【従来の技術】
従来、ＣＤ−ＲＷなどの再記録可能な情報記録媒体（以下、ディスクと称する）　を用いて、データの記録再生をランダムに行う場合、ディスクに対してあらかじめダミーデータを記録するフォーマット処理が必要である。
【０００３】
従来のフォーマット処理では、その処理が完了するまでデータの記録再生を実施することができなかったが、これを改善する手法としてディスクの一部分だけをフォーマット化した後に、ホストコンピュータからデータの記録再生を可能にするバックグラウンドフォーマットが提案されている。
【０００４】
バックグラウンドフォーマットとは、ホストコンピュータからのデータの記録再生要求がない時に、ダミーデータ記録が完了していない未フォーマット領域に対して、ドライブ装置が自動でダミーデータを記録するものある。そのため、ホストコンピュータから要求されるデータの記録再生と、バックグラウンドフォーマットによるダミーデータの記録を並行して実施する必要がある。
【０００５】
どのようなフォーマット処理においても、最終的にはディスク全域にわたってダミーデータを記録する必要がある。
【０００６】
また、これらのディスクに対して、その記録領域に対してデータが正しく記録再生できない欠陥（　以下、欠陥と称する）　が存在した場合に、ディスク内に設けられた交替領域を用いて、この欠陥領域の代替を行い、これを管理する欠陥管理情報を備えることで、欠陥による情報喪失を防ぐ欠陥管理システムが導入されているものがある。このようなディスクでは、従来のユーザデータ記録領域に加え、欠陥管理情報記録領域と、交替領域が設けられる。以下、これを欠陥管理システムフォーマットと呼ぶ。
【０００７】
このようなディスクに対するフォーマット動作も、上記のようにディスクの全面に対してダミーデータを記録する必要がある。そのため、このようにフォーマット処理を実施する時は、常にディスク全面に対するダミーデータの記録を実施する必要があるので、フォーマット完了までに大きな処理時間がかかってしまうという問題があった。
【０００８】
また、すでに、欠陥管理フォーマット処理が実施されているディスクに対して、ユーザデータ領域内でユーザデータの記録がなされていない場合、この領域はダミーデータのみが記録されているフォーマット直後と変わらない状態なので、あらためて、ダミーデータ記録を実施するのは冗長であり、時間のかかる作業となっていた。
【０００９】
さらに、一般にフォーマット処理が完了してしまうと、ユーザデータ領域は全て記録済みとなるので、この領域に対して記録されている箇所が、ダミーデータであるのか、ユーザからの要求によるユーザデータであるかを判別する手段がないという問題があった。
【００１０】
【発明が解決しようとする課題】
本発明、上記問題に鑑みてなされたものであり、欠陥管理フォーマット処理が実施されていないディスクおよび既に欠陥管理フォーマット処理が実施されているディスクに対して、欠陥管理フォーマット処理要求があった場合に、欠陥管理フォーマット処理の時間を短縮する手段を提供する情報記録再生装置およびディスクに対する欠陥管理システムフォーマット処理方法を提供することを目的とする。
【００１１】
【課題を解決するための手段】
上記目的を達成するために、請求項１記載の発明の情報記録再生装置は、再記録可能な情報記録媒体に対するフォーマット処理を行うフォーマット処理手段と、欠陥管理システムが導入された前記情報記録媒体に対して前記欠陥管理システムに基づいた読み出し・書き込みを行う読み出し・書き込み手段とを有し、欠陥管理システムフォーマット処理が実施されていない前記情報記録媒体、および既に前記欠陥管理システムフォーマット処理が実施されている前記情報記録媒体に対して、前記欠陥管理システムフォーマット処理要求を受けた際、前記情報記録媒体内の欠陥管理情報領域の初期化と、ユーザデータ記録領域のみに対して、ダミーデータの記録を実施することを特徴としている。
【００１２】
請求項２記載の発明は、請求項１記載の発明において、前記ユーザデータ記録領域への前記ダミーデータの記録は、前記ダミーデータの記録がなされていない場合のみ行うことを特徴としている。
【００１３】
請求項３記載の発明は、請求項２記載の発明において、前記ユーザデータ領域内に前記ダミーデータが記録されているかどうかを判別する場合、前記ユーザデータ領域を読み出し、読み出されたデータをもってダミーデータ記録であるかどうかを判別するダミーデータ判別手段をさらに有することを特徴としている。
【００１４】
請求項４記載の発明は、再記録可能な情報記録媒体に対するフォーマット処理を行うフォーマット処理手段と、欠陥管理システムが導入された前記情報記録媒体に対して前記欠陥管理システムに基づいた読み出し・書き込みを行う読み出し・書き込み手段とを有する情報記録再生装置において、欠陥管理システムフォーマット処理方法は、欠陥管理システムフォーマット処理が実施されていない前記情報記録媒体、および既に前記欠陥管理システムフォーマット処理が実施されている前記情報記録媒体に対して、前記欠陥管理システムフォーマット処理要求を受けた際、前記情報記録媒体内の欠陥管理情報領域を初期化する初期化工程と、前記情報記録媒体内のプログラムエリア領域のフォーマット処理を開始するフォーマット処理開始工程と、前記プログラムエリア領域がスペアエリアであるかどうかを判定するスペアエリア判定工程と、前記プログラムエリア領域がスペアエリアではなくデータエリアである場合は、前記データエリアにダミーデータの記録を実施するダミーデータ記録工程と、前記プログラムエリア領域の全てに対してフォーマット処理が完了したかどうかを判定するフォーマット処理完了判定工程とを有すること特徴としている。
【００１５】
請求項５記載の発明は、請求項４記載の発明において、欠陥管理システムフォーマット処理方法は、前記プログラムエリア領域がスペアエリアではなくデータエリアである場合は、前記データエリアにダミーデータの記録を実施する前に、前記データエリアにダミーデータが記録済みであるかどうかを判定するダミーデータ記録判定工程をさらに有し、前記ダミーデータの記録がなされていない場合のみ、前記データエリアに前記ダミーデータの記録を行うことを特徴としている。
【００１６】
請求項６記載の発明は、請求項５記載の発明において、欠陥管理システムフォーマット処理方法は、前記データエリアに前記ダミーデータが記録済みであるかどうかの判定は、前記データエリア領域を読み出し、読み出されたデータをもってダミーデータ記録であるかどうかを判別することを特徴としている。
【００１７】
【発明の実施の形態】
以下、添付図面を参照して本発明の実施形態を詳細に説明する。図１は、本発明の実施形態である情報記録再生装置の構成を示すブロック図である。図１に示すように、本発明の実施形態である情報記録再生装置は、光ディスク１、モータ２、回転制御部３、ピックアップ４、アクチュエータ制御部５、信号制御部６、ドライブコントローラ７、バッファ８、レーザ駆動回路９、外部インターフェイス１０、ホストコンピュータ１１、および、不揮発性メモリ１２を備えて構成される。
【００１８】
モータ２は光ディスク１を任意の回転速度で回転させる。回転制御部３はモータ２の制御を行う。ピックアップ４　は光ディスク１に光レーザを照射する。レーザ駆動回路９はピックアップ４の光レーザを駆動する。アクチェータ制御部５はピックアップ４を半径方向に移動させたりする制御を行う。信号制御部６はピックアップ４からの信号を制御する。
【００１９】
外部インターフェース１０はホストコンピュータ１１　との信号のやりとりを行う。バッファ８はデータなどの一時保管場所である。ドライブコントローラ７はこの情報記録再生装置全体の制御を行う。また、不揮発性メモリ１２は情報記録再生装置に固有の情報、例えば、ディスクＩＤ、記録パワー値などを記録しておく。この不揮発性メモリ１２には、ドライブコントローラ７を動かすためのプログラムなども記憶されている。ここに記憶されているプログラムによって、バックグラウンドフォーマットで生じる未記録部へのダミーデータの記録などが実行される。
【００２０】
本発明の情報記録再生装置の記録方法は、ホストコンピュータ１１　によって制御され、外部インタフェース１０　を通じて情報記録再生装置に指示される。図２は、ＣＤ−ＭＲＷにおけるデータの記録単位と構造を示すデータ構造図である。データ構造に関しては、図２で示したＣＤ−ＭＲＷにおけるデータの記録単位と構造が、本発明の情報記録再生装置において使用される。
【００２１】
情報記録装置の光ディスクに対してこの欠陥管理システムが導入されているものとして、ＤＶＤ−ＲＡＭ　が知られている。また、ＣＤ−ＲＷ　ディスクやＤＶＤ＋ＲＷディスクに対しては、欠陥管理システムとしてＭｔ．Ｒａｉｎｉｅｒがある。
【００２２】
図２を参照して、このＣＤ−ＭＲＷ　に対するＭｔ．Ｒａｉｎｉｅｒについて説明する。ＣＤ−ＭＲＷ　のＭｔ．Ｒａｉｎｉｅｒでは、ＣＤの最小情報単位であるブロック（Ｂｌｏｃｋ）Ｂ１、Ｂ２、Ｂ３、．．．、Ｂ３２単位（図２の３０）での書き換え実現のため、フィックスドパケット（Ｆｉｘｅｄ　Ｐａｃｋｅｔ）Ｐ１、Ｐ２、Ｐ３、．．．、Ｐ１３６（　図２の２５）でフォーマットされたディスクを使用する。このとき、ユーザデータ（Ｕｓｅｒ　Ｄａｔａ）（図２の２８）以外にリンク（Ｌｉｎｋ）（図２の２６）、ランイン（Ｒｕｎ−Ｉｎ）（図２の２７）、ランアウト（Ｒｕｎ−Ｏｕｔ）（図２の２９）ブロックを付加する必要があるので、記録容量を稼ぐためにパケットサイズは３２ブロックで記録されているが、交替される単位はブロックである。また、フォーマット処理によって記録されるデータは、ダミーデータとしてＵｓｅｒ　ＤａｔａにＡＡｈのデータを記録するよう規定されている。
【００２３】
また、ＣＤ−ＭＲＷ　のＭｔ．Ｒａｉｎｉｅｒではリードインエリア（Ｌｅａｄ−Ｉｎ　Ａｒｅａ）（図２の２０）とリードアウトエリア（Ｌｅａｄ−ＯｕｔＡｒｅａ）（図２の２２）に挟まれたプログラムエリア（Ｐｒｏｇｒａｍ　Ａｒｅａ）（図２の２１）内に、複数のデータエリアＤａｔａ　Ａｒｅａ（通常のユーザーデータ記録領域：図２の２４）とスペアエリア（Ｓｐａｒｅ　Ａｒｅａ）（交替領域：図２の２３）を交互に配置している。また、各データエリアＤＡｘに対応したスペアエリアＳＡｘが存在する。この時の交替したデータ元のアドレスと、交替先のデータのアドレスといった欠陥管理情報は、リードインエリア内のメインテーブルエリア（Ｍａｉｎ　Ｔａｂｌｅ　Ａｒｅａ）とプログラムエリア（Ｐｒｏｇｒａｍ　Ａｒｅａ）の最後の位置にあるセカンドリーテーブルエリア（Ｓｅｃｏｎｄａｒｙ　Ｔａｂｌｅ　Ａｒｅａ）に記録される。
【００２４】
このようなシステムにおいては、記録されたユーザデータを再生する際に、欠陥管理情報を読み込み、再生先のユーザデータが交替されているかを確認し、再生先の交替されていないユーザデータと交替されている場合は、該当する交替先のユーザデータを再生し、これらをホストに転送する必要がある。
【００２５】
逆にいえば、交替処理が実施されているかどうかは欠陥管理情報によって管理されるため、当該管理領域に登録されていない場合には、スペアエリアを読み出すことはない。
【００２６】
本発明の情報記録再生装置は、上記の点に着目してなされたものであり、既に、欠陥管理フォーマット処理が実施されているディスクに対して、再度欠陥管理フォーマット処理要求があった場合に、また、欠陥管理フォーマット処理が実施されていないディスクに対して、欠陥管理フォーマット処理要求があった場合に、この欠陥管理フォーマット処理を短縮する手段を提供する。
【００２７】
次に、図面を参照し、本発明の情報記録再生装置の動作を詳細に説明する。図３は、本発明の情報記録再生装置の第一実施形態の動作を示すフローチャートである。図３を参照し、本発明の情報記録再生装置の第一実施形態の動作を説明する。
【００２８】
まず、ホストコンピュータ１１からフォーマット処理要求を受けると、欠陥管理領域を初期化する（ステップＳ３０１）。次にプログラムエリア領域のフォーマット処理を開始し、当該位置がスペアエリアであるかどうかを判定する（ステップＳ３０２）。ここで、当該領域がスペアエリアでない場合、即ち、データエリアである場合は、当該領域に対してダミーデータの記録を実施する（ステップＳ３０３）。そして、全プログラムエリア領域に対してフォーマット処理が完了したかどうかを判定し（ステップＳ３０４）、全プログラムエリア領域に対してフォーマット処理が完了した場合は処理を完了する。
【００２９】
図４は、本発明の情報記録再生装置の第二実施形態の動作を示すフローチャートである。図４を参照し、本発明の情報記録再生装置の第二実施形態の動作を説明する。
【００３０】
まず、ホストコンピュータ１１からフォーマット処理要求を受けると、欠陥管理領域を初期化する（ステップＳ４０１）。次にプログラムエリア領域のフォーマット処理を開始し、当該位置がスペアエリアであるかどうかを判定する（ステップＳ４０２）。ここで、当該領域がスペアエリアでない場合、即ちデータエリアである場合は、当該領域に対してダミーデータ記録が実施済みであるかどうかを判定する（ステップＳ４０３）。そして、ダミーデータが記録済みでない場合は（ステップＳ４０３のＮＯ）、当該領域に対してフォーマット処理として、ダミーデータ記録を実施する（ステップＳ４０４）。そして、全プログラムエリア領域に対してフォーマット処理が完了したかどうかを判定し（ステップＳ４０５）、全プログラムエリア領域に対してフォーマット処理が完了した場合、処理を完了する。
【００３１】
次に、本発明の情報記録再生装置の第三実施形態を説明する。ユーザデータ領域内にダミーデータが記録されているかどうかを判別するために、まず、ユーザデータ領域を読み出し、読み出されたデータをもってダミーデータ記録であるかどうかを判別する。この動作により、ユーザデータ領域内にダミーデータが記録されているかどうかを判定することができる。
【００３２】
本発明の実施形態について、上記のように詳細に説明したが、上記の実施形態は本発明の好適は実施の例であり、これに限定されるものではなく、本発明の要旨を逸脱しない範囲において種々変形して実施することが可能である。
【００３３】
【発明の効果】
以上、説明したように、本発明の第一実施形態によれば、交替領域に対するダミーデータ記録が省略できるので、再フォーマット処理完了までの時間を短縮することができる。
【００３４】
また、本発明の第二実施形態によれば、ユーザデータ領域に対して、ユーザデータの記録がなされていない場合に、交替領域に対するダミーデータ記録だけでなく、ユーザデータ領域へのダミーデータ記録も省略できるので、再フォーマット処理完了までの時間を短縮することができる。
【００３５】
また、本発明の第三実施形態によれば、ユーザデータ領域内にダミーデータ記録がなされているかどうかを判別する手段を持つことが可能となり、再フォーマット処理完了までの時間を短縮することができる。
【図面の簡単な説明】
【図１】本発明の実施形態である情報記録再生装置の構成を示すブロック図である。
【図２】本発明の実施形態である情報記録再生装置で使用するＣＤ−ＭＲＷにおけるデータの記録単位と構造を示すデータ構造図である。
【図３】本発明の情報記録再生装置の第一実施形態の動作を示すフローチャートである。
【図４】本発明の情報記録再生装置の第二実施形態の動作を示すフローチャートである。
【符号の説明】
１　光ディスク
２　モータ
３　回転制御部
４　ピックアップ
５　アクチュエータ制御部
６　信号制御部
７　ドライブコントローラ
８　バッファ
９　レーザ駆動回路
１０　外部インターフェイス
１１　ホストコンピュータ
１２　不揮発性メモリ
【図１】
2004110965.tif 000003
【図２】
2004110965.tif 000004
【図３】
2004110965.tif 000005
【図４】
2004110965.tif 000006